(57)【要約】    【課題】      液晶表示するコンテンツの表示サイズに合わせて該当する表示範囲の照射部を制御して消費電力の削減を図ること。    【解決手段】  ＬＣＤ１２０は、外部から入力されるコンテンツを表示する。複数のバックライト１３３、１３５は、ＬＣＤ１２０を照射する。表示サイズ判定部１４８は、ＬＣＤ１２０に表示されるコンテンツの表示サイズを自動判定する。この表示サイズ判定部１４８によって判定される表示サイズがＬＣＤ１２０の表示範囲より小さい場合、表示制御部１４２は、ＬＣＤ１２０の表示範囲におけるコンテンツの表示位置を変更して表示範囲の一部の表示領域にコンテンツを表示する。バックライト制御部１４４は、複数のバックライト１３３、１３５のうち、表示範囲の一部の表示領域を照射する所定のバックライト１３３を駆動制御する。  【選択図】      図１
2006091147.tif 000002
【特許請求の範囲】
【請求項１】
外部から入力されるコンテンツを表示する液晶表示部と、
前記液晶表示部を照射する複数の照射手段と、
前記液晶表示部に表示されるコンテンツの表示サイズを自動判定する表示サイズ判定手段と、
前記表示サイズ判定手段によって判定される前記表示サイズが前記液晶表示部の表示範囲より小さい場合、前記表示範囲における前記コンテンツの表示位置を変更して前記表示範囲の一部の表示領域に前記コンテンツを表示する表示制御手段と、
前記複数の照射手段のうち、前記表示範囲の一部の表示領域を照射する所定の照射部を駆動する照射部制御手段とを有することを特徴とする液晶表示装置。
【請求項２】
前記コンテンツの表示サイズをリサイズするリサイズ手段を備え、
前記表示制御手段は、前記リサイズ手段によりリサイズされたコンテンツを、前記表示範囲における表示位置を変更して前記表示範囲の一部の表示領域に表示することを特徴とする請求項１記載の液晶表示装置。
【請求項３】
省電力指示を設定する省電力設定手段を更に備え、
前記表示サイズ判定手段は、前記省電力設定手段によって省電力指示が設定された場合に、前記液晶表示部に表示されるコンテンツの表示サイズを自動判定することを特徴とする請求項１記載の液晶表示装置。
【請求項４】
省電力指示を設定する省電力設定手段と、
外部表示機器に接続して、前記液晶表示部に表示されるコンテンツを前記外部表示機器に出力する外部表示出力手段とを更に備え、
前記表示サイズ判定手段は、前記省電力設定手段によって省電力指示が設定された場合に、前記液晶表示部に表示されるコンテンツの表示サイズを自動判定し、
前記表示制御手段は、前記表示サイズ判定手段によって判定される前記コンテンツの表示サイズが前記表示範囲より小さい場合、前記表示範囲における前記コンテンツの表示位置を変更して前記表示範囲の一部の表示領域に表示するとともに、前記外部表示出力手段を介して、前記外部表示機器に前記コンテンツを表示することを特徴とする請求項１記載の液晶表示装置。
【請求項５】
請求項１から４のいずれかに記載の液晶表示装置を備えたことを特徴とする携帯端末。
【請求項６】
外部から入力されるコンテンツを表示する液晶表示部と、前記液晶表示部を照射する複数の照射部とを備えた携帯端末におけるコンテンツ表示方法において、
前記液晶表示部に表示されるコンテンツの表示サイズを自動判定する表示サイズ判定ステップと、
前記表示サイズ判定ステップによって判定される前記表示サイズが前記液晶表示部の表示範囲より小さい場合、前記表示範囲における前記コンテンツの表示位置を変更して前記表示範囲の一部の表示領域に前記コンテンツを表示する表示ステップと、
前記表示範囲の一部の表示領域を照射する所定の照射部を駆動する駆動ステップとを有することを特徴とするコンテンツ表示方法。
【発明の詳細な説明】
【技術分野】
【０００１】
本発明は、液晶パネルを照射するバックライトを備える液晶表示装置、携帯端末及びコンテンツ表示方法に関する。
【背景技術】
【０００２】
従来の携帯電話装置などの携帯端末では、表示装置として液晶ディスプレイ（Liquid Crystal Display、以下、「ＬＣＤ」という）が広く用いられているとともに、ＬＣＤの表示能力を上げるために、画像表示部であるＬＣＤの裏面から照明を行うバックライトが設けられている。しかし、バックライトは、消費電力が大きいため、常時点灯を行うと駆動時間が短くなることが知られている。
【０００３】
このため、例えば、特許文献１は、バックライトの全点灯モード時には、バックライトを構成する発光ダイオードを全点灯させるが、その後、ＣＰＵはメモリに設定されている省電力条件が満足されると、バックライトを構成する発光ダイオードの半分を消灯して、バックライトの省電力点灯を行うものとして構成されている。これにより、バッテリの消費電力の削減を行っている。
【０００４】
また、特許文献２は、ＬＣＤのバックライトエリアを分割して各々のエリアに独立したバックライト光源とその電力制御器を設け、ユーザの指示に従って下半分の光源をＯＦＦにするとともに、アプリケーションの表示行数を半分にしてバックライトＯＮの部分のみを用いてアプリケーション処理を行っている。
【０００５】
さらに、また、特許文献３は、携帯端末本体に開閉可能に設けられる蓋体を表示パネルの上部が表出するように構成され、表示パネルの表示領域において、蓋体が閉蓋状態で外部に表出する領域を第１表示領域とし、被覆される領域を第２表示領域としている。そして、第１表示領域は第１照明部で点灯し、第２表示領域は第２照明部で点灯し、第１照明操作スイッチは第１照明部の点灯を切り替え、第２照明操作スイッチは第２照明部の点灯を切り替えるようにしている。さらに、蓋体を閉蓋状態にした場合に第２照明部を自動的に消灯するようにしている。また、あるキー操作があった場合に、一定時間経過後に第１照明部と第２照明部の点灯及び消灯を個々に制御することで省電力化を図っている。
【特許文献１】特開平６−１２０８６４号公報
【特許文献２】特開平５−１９６９１５号公報
【特許文献３】特開平９−６２１９８号公報
【発明の開示】
【発明が解決しようとする課題】
【０００６】
しかしながら、従来の携帯端末では、バックライトの省電力化を行う条件として、「待受状態になった時」、「通話状態になった時」等の携帯端末状態の条件を用いて制御しているため、夜間に通信ネットワークからダウンロードしたコンテンツの静止画や動画、外部記録部（メモリカードなど）から読み込むコンテンツの視聴のために、長時間の連続動作させる際の省電力化については考慮されていない。これにより、従来の携帯端末の構成では、さまざまな表示サイズを有するコンテンツを表示する際に、コンテンツの表示サイズが小さいにも関わらず、ＬＣＤ表示のレイアウトによって、ほぼ中央に表示し、それに対応して、バックライトを全点灯している。つまり、従来の携帯端末の構成では、コンテンツの表示サイズにおける表示範囲以外の表示領域もバックライト（照射部）で照射するため、その分の消費電力を減少させたいという要望があった。
【０００７】
本発明はかかる点に鑑みてなされたものであり、液晶表示するコンテンツの表示サイズに合わせて該当する表示範囲の照射部を制御してコンテンツ表示の際の消費電力の削減を図ることができる液晶表示装置、携帯端末及びコンテンツ表示方法を提供することを目的とする。
【課題を解決するための手段】
【０００８】
本発明に係る液晶表示装置は、外部から入力されるコンテンツを表示する液晶表示部と、前記液晶表示部を照射する複数の照射手段と、前記液晶表示部に表示されるコンテンツの表示サイズを自動判定する表示サイズ判定手段と、前記表示サイズ判定手段によって判定される前記表示サイズが前記液晶表示部の表示範囲より小さい場合、前記表示範囲における前記コンテンツの表示位置を変更して前記表示範囲の一部の表示領域に前記コンテンツを表示する表示制御手段と、前記複数の照射手段のうち、前記表示範囲の一部の表示領域を照射する所定の照射部を駆動する照射部制御手段とを有する構成を採る。
【０００９】
この構成によれば、コンテンツの表示サイズが液晶表示部の表示範囲より小さい場合、表示範囲におけるコンテンツの表示位置を変更して、その変更された表示領域を照射する所定の照射部を駆動するため、コンテンツが表示される表示領域のみを部分的に照射して、コンテンツを表示することができる。つまり、コンテンツを表示する際に、表示領域以外の部分の照射部を駆動する必要がなく、その分、消費電流を削減することができる。
【発明の効果】
【００１０】
以上説明したように、本発明によれば、液晶表示するコンテンツの表示サイズに合わせて該当する表示範囲の照射部を制御し、コンテンツ表示の際の消費電力を削減することができる。
【発明を実施するための最良の形態】
【００１１】
以下、本発明の実施の形態について、図面を参照して詳細に説明する。
【００１２】
図１は、本発明の一実施の形態に係る液晶表示装置を有する携帯端末の構成を示すブロック図である。
【００１３】
図１に示す携帯端末１００は、例えば、携帯電話、通信機能を備えたＰＤＡ（Personal Digital Assistance）等が挙げられる。ここでは、携帯端末１００は、通信ネットワークを介して外部装置と無線通信を行い、テレビ電話の画面や静止画や動画等のコンテンツを受信でき、また、ケーブルや無線などを介して外部装置からコンテンツを受信できる。
【００１４】
携帯端末１００は、無線通信部１０１、操作部（省電力設定部）１０３、内部記録部１０５、外部記録部１０７、バッテリ１０９、表示出力選択部１１１、外部表示出力部１１３、ＬＣＤドライバ１１５、ＬＣＤ（液晶表示部）１２０、バックライト部１３０、制御部１４０を有する。
【００１５】
無線通信部１０１は、通信ネットワークに無線接続するものであり、通信ネットワークからコンテンツを受信して制御部１４０に出力する。つまり、無線通信部１０１に通信ネットワークを介してコンテンツが入力される。
【００１６】
ここで、コンテンツとは、具体的には、ＬＣＤ１２０に表示される表示サイズ情報を含むテレビ電話の画面や静止画や動画等の情報である。
【００１７】
操作部１０３は、キー入力部を有し、ユーザが本携帯端末１００に対して指示や設定を入力するものである。この操作部１０３を介してユーザにより入力された情報は制御部１４０に出力される。例えば、ユーザは、この操作部１０３を介して、携帯端末１００を操作し、携帯端末１００における省電力モードの設定を行う。
【００１８】
内部記録部１０５は、フラッシュメモリ等により形成され、携帯端末１００本体に設けられている。内部記録部１０５は、操作部１０３及び制御部１４０を介してユーザが省電力モードに設定したことを記録する。なお、省電力モードでは、省電力モード設定に対応してＬＣＤ１２０の表示範囲における所定の表示領域と、この表示領域を照射するバックライト及び、入力されるコンテンツを表示領域に表示可能なサイズにするリサイズ設定が対応付けられている。また、内部記録部１０５は、無線通信部１０１を介して通信ネットワークから受信した情報、具体的には、通信ネットワークからダウンロードしたコンテンツを記録する。
【００１９】
外部記録部１０７は、制御部１４０に接続されており、フラッシュメモリ等により構成され、携帯端末１００本体に着脱自在に装着されている。外部記録部１０７としては、例えば、メモリカードなどが挙げられ、携帯端末１００に装着して、携帯端末１００で視聴可能なコンテンツが記憶されている。なお、この外部記録部１０７を予め携帯端末１００の本体に装着しておき、無線通信部１０１を介して通信ネットワークから受信した情報、具体的には、通信ネットワークからダウンロードしたコンテンツを記録してもよい。
【００２０】
バッテリ１０９は、複数系のバックライト部１３０（第１バックライト１３３と第２バックライト１３５）に電源供給を行うとともに、他の各部（無線通信部１０１、操作部１０３、内部記録部１０５、外部記録部１０７、表示出力選択部１１１、外部表示出力部１１３、ＬＣＤドライバ１１５、画像表示部であるＬＣＤ１２０、バックライト点灯回路１３１、制御部１４０等）に電源供給を行う。
【００２１】
表示出力選択部１１１は、制御部１４０により表示制御されるコンテンツの表示先として、携帯端末１００の外部に配置され、画像表示可能な外部装置（ここでは、外部表示機器１５０）及びＬＣＤ１２０のうち少なくともＬＣＤ１２０を選択する。
【００２２】
外部表示出力部１１３は、携帯端末１００の図示しない外部表示機器インタフェースに、テレビなどの外部表示機器１５０を接続し、外部表示機器１５０のインタフェースに適合した画像信号に変換する。これにより、外部表示出力部１１３は、表示出力選択部１１１により外部装置への表示を選択した場合に、ＬＣＤ１２０の他にコンテンツを外部（具体的には、外部表示機器１５０）にも出力する。
【００２３】
ＬＣＤドライバ１１５は、表示出力選択部１１１を介して制御部１４０の表示制御部１４２により駆動制御され、画像表示部であるＬＣＤ１２０を駆動する。
【００２４】
ＬＣＤ１２０は、透過型のＬＣＤであり、ＬＣＤドライバ１１５を介して制御部１４０の表示制御部１４２により駆動制御される。
【００２５】
バックライト部１３０は、複数系のバックライトを駆動させ、ＬＣＤ１２０の全表示範囲を照射するものであり、バックライト点灯回路１３１と、第１バックライト１３３と、第２バックライト１３５とを有する。
【００２６】
ここでは、バックライト部１３０は、第１及び第２バックライトの２つのバックライト１３３、１３５を有するものとしたが、これに限らず、３つ以上のバックライトを有し、これらを適宜駆動させ、対応するＬＣＤ１２０の表示領域を照射するようにしてもよい。その場合、バックライト点灯回路１３１は、複数のバックライトのそれぞれをＯＮ／ＯＦＦするものとする。
【００２７】
本実施の形態の携帯端末１００では、第１及び第２バックライト１３３、１３５を有するため、バックライト点灯回路１３１は、第１バックライト１３３、第２バックライト１３５の点灯をＯＮ／ＯＦＦする。
【００２８】
これら第１バックライト１３３及び第２バックライト１３５は、ＬＣＤ１２０の表示範囲において、互いに重ならない所定の領域をそれぞれ照射する。
【００２９】
制御部１４０は、携帯端末１００の各部（無線通信部１０１、操作部１０３，内部記録部１０５、外部記録部１０７、バッテリ１０９、表示出力選択部１１１、外部表示出力部１１３、ＬＣＤドライバ１１５、ＬＣＤ（画像表示部）１２０、バックライト点灯回路１３１、第１バックライト１３３、第２バックライト１３５等）に接続されている。
【００３０】
また、制御部１４０は、ＬＣＤ１２０や外部表示機器（テレビ等）１５０に表示する画像のレイアウトの制御などする表示制御部１４２と、複数系あるバックライトのＯＮ／ＯＦＦ制御するバックライト制御部１４４と、表示するコンテンツが大きければ縮小変換するリサイズ制御部１４６と、表示するコンテンツのサイズを判定する表示サイズ判定部１４８とを有する。
【００３１】
図２は、制御部１４０の制御によりＬＣＤ１２０に表示される画面のレイアウトの一例を示す。この図２に示す表示画像（表示範囲）２００は、携帯端末１００のデフォルト状態における図である。なお、デフォルト設定では、第１バックライト１３３と第２バックライト１３５ともに同時点灯する。
【００３２】
図２に示すＬＣＤ１２０の表示範囲２００は、ここでは、２４０×３６０ドットのＱＶＧＡ（Quarter Video Graphics Array）サイズである。ＬＣＤ表示範囲２００には、電界強度を示す電界表示部２０１、バッテリ１０９の残量を示すバッテリ表示部２０２、テレビ電話の画面や静止画や動画のコンテンツの表示をするコンテンツ表示部２０３などがレイアウトされている。
【００３３】
ＬＣＤ１２０に表示されるコンテンツ表示部２０３のサイズは、各種存在する。例えば、ＬＣＤ１２０がＱＶＧＡサイズならば、ＬＣＤ１２０の画面フル表示する２４０×３６０ドットのＱＶＧＡサイズや、半分表示する２４０×１７６ドットのＨＱＶＧＡ（Half Quarter  Video Graphics Array）サイズ、さらに、更に小さい１７６×１４４ドットのＱＣＩＦ（Quarter Common Intermediate Format）サイズなどが挙げられる。なお、ＬＣＤ表示範囲２００におけるデフォルト設定では、コンテンツ表示部２０３は、コンテンツにあったサイズにより表示される。
【００３４】
図３に、ユーザにより省電力モード設定されたときのＬＣＤ１２０に表示される画面レイアウトの一例を示す。コンテンツ表示部２０３が、半分表示する２４０×１７６ドットのＨＱＶＧＡサイズや更に小さい１７６×１４４ドットのＱＣＩＦサイズなどのときに、ＬＣＤ表示範囲２００の画面レイアウト変更し、上下どちらか一方に寄せる。
【００３５】
尚、コンテンツ表示部２０３は、静止画や動画表示の他に、外部表示機器に接続した外部表示機器１５０にコンテンツ表示しているときは、省電力設定時には、バックライト部分点灯で表示する範囲にて、端末の状態やメニュー表示やメッセージ等を表示する。
【００３６】
言い換えれば、この携帯端末１００は、外部から入力されるコンテンツを表示するＬＣＤ１２０と、ＬＣＤ１２０を照射する複数のバックライト（ここでは第１及び第２バックライト１３３、１３５）と、ＬＣＤ１２０に表示されるコンテンツの表示サイズを自動判定する表示サイズ判定部１４８と、表示サイズ判定部１４８によって判定される表示サイズがＬＣＤ１２０の表示範囲より小さい場合、ＬＣＤ１２０の表示範囲２００（図２参照）におけるコンテンツの表示位置を変更して表示範囲の一部の表示領域２１０（図２参照）にコンテンツを表示する表示制御部１４２と、複数のバックライト１３３、１３５のうち、表示範囲２００（図２参照）の一部の表示領域（例えば図２及び図３で示す第１表示領域）を照射する所定のバックライト（ここでは第１バックライト）１３３を駆動するバックライト制御部１４４とを有する液晶表示装置を備えている。
【００３７】
次に、以上のように構成された携帯端末１００の動作を説明する。
【００３８】
図４は、本発明の実施の形態に係る携帯端末１００のコンテンツ表示処理を説明するフローチャートである。
【００３９】
携帯端末１００は、通信ネットワークと無線で接続する無線通信部１０１を介してダウンロードしてきたコンテンツや、外部記録部１０７に保存されているコンテンツをＬＣＤ１２０に表示する際には、まず、予めユーザが設定した省電力設定やリサイズを内部記録部１０５から読み出す。
【００４０】
ステップＳ１０では、制御部１４０は、読み出した設定が、省電力設定か否かを判定し、省電力設定でなければ、ステップＳ１１に移行して、バックライト全点灯モード、つまり、第１バックライト１３３及び第２バックライト１３５の双方を点灯させるモードにする。一方、ステップＳ１０において、省電力設定であれば、ステップＳ１２に移行する。
【００４１】
ステップＳ１２では、表示サイズ判定部１４８が、表示すべきコンテンツの表示サイズがバックライトの部分点灯で表示できるか否かを判定する。ここでは、バックライトの部分点灯でも表示できるＨＱＶＧＡサイズ以下であるか、または、部分点灯で表示できないサイズ、つまり、バックライト全点灯が必須であるＱＶＧＡであるかを判定する。
【００４２】
ステップＳ１２において、コンテンツ表示サイズが、バックライト全点灯を必須とするサイズ、つまり、ＱＶＧＡサイズであれば、ステップＳ１３に移行し、バックライトが部分点灯で表示できるコンテンツ表示サイズ、つまり、ＨＱＶＧＡサイズ以下であればステップＳ１４に移行する。
【００４３】
ステップＳ１３では、リサイズ制御部１４６によりリサイズ指定が設定されているか否かを判定し、リサイズ指定されていれば、ステップＳ１４に移行し、リサイズ指定されていなければ、ステップＳ１１に移行する。
【００４４】
ステップＳ１４では、制御部１４０において、表示制御部１４２が、画面レイアウト変更の制御を行い、ＬＣＤ１２０の表示位置情報と表示サイズ情報をバックライト制御部１４４に通知し、ステップＳ１５に移行する。
【００４５】
ステップＳ１５では、バックライト制御部１４４は、バックライト部分点灯を行う。
【００４６】
ここでは、ＬＣＤ１２０に対して第１バックライト１３３は、第１表示領域２１０を主に照らし、第２バックライト１３５は、第２表示領域２１１を主に照らすよう構成されている（図２及び図３参照）。ステップＳ１５では、コンテンツ表示部２０３の位置と適合する表示領域を照らすバックライト系を部分点灯させる。このようにステップＳ１５において、バックライトを部分点灯させた後、ステップＳ１６に移行する。
【００４７】
ステップＳ１１では、バックライト制御部１４４によりバックライト全点灯を行い、ステップＳ１６に移行する。
【００４８】
ステップＳ１６では、リサイズ制御部１４６により、リサイズ指定されているか否かを再度判定し、リサイズ指定されていなければ、ステップＳ１７に移行し、リサイズ指定されていれば、ステップＳ１８に移行する。
【００４９】
ステップＳ１７では、表示制御部１４２は、通常のコンテンツ表示モードを設定し、ステップＳ１９に移行して、ＬＣＤにコンテンツを表示する。
【００５０】
ステップＳ１８では、リサイズ制御部１４４は、コンテンツの縮小を実行しながら、リサイズコンテンツ表示モードを設定して、ステップＳ１９に移行し、ＬＣＤ１２０にリサイズされたコンテンツを表示する。
【００５１】
例えば、リサイズコンテンツ表示モードが設定されている場合、例えば、図３に示すように、ＬＣＤ１２０の表示範囲２００において、第１表示領域２１０にコンテンツの表示位置を移動するとともに、第１表示領域２１０を照射する第１バックライト１３３のみを点灯させる。
【００５２】
ここで、ステップＳ１９におけるＬＣＤ１２０へのコンテンツ表示中に、表示出力選択部１１１により外部表示出力部１１３に接続した外部表示機器１５０にコンテンツを表示する場合の処理について説明する。
【００５３】
図５は、本発明の一実施の形態における携帯端末に外部表示機器を接続した際の処理を示すフローチャートである。
【００５４】
ステップＳ１９において、ＬＣＤ１２０にコンテンツが表示されている状態において、外部表示出力部１１３を介して外部表示機器１５０を接続する場合、ステップＳ２１では、表示制御部１４２は、実際にＬＣＤ１２０に表示されているコンテンツ表示モードを判定する。ステップＳ２１において、通常コンテンツ表示モードであれば、ステップＳ２２に移行し、リサイズコンテンツ表示のモードになり、リサイズコンテンツ表示を実行する。ステップＳ２１において、実際にＬＣＤ１２０に表示されているモードがリサイズコンテンツ表示モードである場合、そのままＬＣＤ１２０に表示される。
【００５５】
また、外部表示機器１５０に表示する場合には、ＬＣＤ１２０の表示は、同一内容のコンテンツを表示する以外にも、携帯端末１００の状態やメニュー表示やメッセージ等を表示する。
【００５６】
このように本実施の形態の携帯端末１００は、ＬＣＤ１２０に対して複数系統（ここでは２つ）で構成したバックライト（ここでは、第１及び第２のバックライト１３３、１３５）と、省電力指示を設定する操作部１０３と、操作部１０３に省電力指示が設定されている場合、ＬＣＤ１２０に表示するコンテンツの表示サイズを自動判定する表示サイズ判定部１４８と、ＬＣＤ１２０に表示する範囲のバックライト点灯を制御するバックライト制御部１４４と、ＬＣＤ１２０に対してコンテンツの表示位置を変える表示制御部１４２とを有する。
【００５７】
この構成により、省電力設定されていて、ＬＣＤ画面範囲２００より表示されるコンテンツ表示領域が小さい場合、コンテンツ表示位置を変え、コンテンツをＬＣＤ１２０に表示する範囲のバックライトを適宜、点灯させることにより消費電流を削減して、コンテンツを表示することができる。
【００５８】
このように、本実施の形態の携帯端末１００によれば、コンテンツの表示サイズ判定部１４８を設けることにより、表示するコンテンツをＬＣＤ表示範囲２００（図２参照）の通常表示設定されている表示位置から第１バックライト１３３を点灯する範囲の位置に移動（図３参照）して、コンテンツ表示するとともに、このコンテンツの表示される範囲と一致した第１バックライト１３３のみを部分点灯する。
【００５９】
また、携帯端末１００が操作部１０３を介して省電力設定されていれば、ＬＣＤ表示範囲２００一杯のコンテンツは、縮小リサイズして表示され、コンテンツが外部表示機器１５０に表示される場合は、ＬＣＤ１２０への表示は、省電力設定用サイズで行うことができ、バックライト部１３０を全点灯から部分点灯することにより消費電流を削減できる。
【００６０】
本発明の第１の態様に係る液晶表示装置は、外部から入力されるコンテンツを表示する液晶表示部と、前記液晶表示部を照射する複数の照射手段と、前記液晶表示部に表示されるコンテンツの表示サイズを自動判定する表示サイズ判定手段と、前記表示サイズ判定手段によって判定される前記表示サイズが前記液晶表示部の表示範囲より小さい場合、前記表示範囲における前記コンテンツの表示位置を変更して前記表示範囲の一部の表示領域に前記コンテンツを表示する表示制御手段と、前記複数の照射手段のうち、前記表示範囲の一部の表示領域を照射する所定の照射部を駆動する照射部制御手段とを有する構成を採る。
【００６１】
この構成によれば、コンテンツの表示サイズが液晶表示部の表示範囲より小さい場合、表示範囲におけるコンテンツの表示位置を変更し、その変更された表示領域を照射する所定の照射部を駆動するため、コンテンツが表示される表示領域のみを部分的に照射して、コンテンツを表示することができ、表示領域以外の部分の照射部を駆動する必要がなく、その分、消費電流を削減することができる。
【００６２】
本発明の第２の態様に係る液晶表示装置は、上記構成において、前記コンテンツの表示サイズをリサイズするリサイズ手段を備え、前記表示制御手段は、前記リサイズ手段によりリサイズされたコンテンツを、前記表示範囲における表示位置を変更して前記表示範囲の一部の表示領域に表示する構成を採る。
【００６３】
この構成によれば、コンテンツの表示サイズが、液晶表示装置の表示範囲と同等若しくは大きな場合でも、その表示サイズを小さくして、表示範囲の一部の表示領域に表示可能な大きさにリサイズすることができるとともに、その一部の表示領域にコンテンツ表示位置を変え、その表示位置を照射部により部分的に照射することができる。
【００６４】
本発明の第３の態様に係る液晶表示装置は、上記構成において、省電力指示を設定する省電力設定手段を更に備え、前記表示サイズ判定手段は、前記省電力設定手段によって省電力指示が設定された場合に、前記液晶表示部に表示されるコンテンツの表示サイズを自動判定する構成を採る。
【００６５】
この構成によれば、省電力指示が設定された場合に、コンテンツの表示サイズを自動判定し、その表示サイズが液晶表示部の表示範囲より小さい場合、表示範囲におけるコンテンツの表示位置を変更して、その変更された表示領域を照射する所定の照射部を駆動するため、コンテンツが表示される表示領域のみを部分的に照射することができ、表示領域以外の部分の照射部を駆動する必要がなく、その分、消費電流を削減することができる。
【００６６】
本発明の第４の態様に係る液晶表示装置は、上記構成において、省電力指示を設定する省電力設定手段と、外部表示機器に接続して、前記液晶表示部に表示されるコンテンツを前記外部表示機器に出力する外部表示出力手段とを更に備え、前記表示サイズ判定手段は、前記省電力設定手段によって省電力指示が設定された場合に、前記液晶表示部に表示されるコンテンツの表示サイズを自動判定し、前記表示制御手段は、前記表示サイズ判定手段によって判定される前記コンテンツの表示サイズが前記表示範囲より小さい場合、前記表示範囲における前記コンテンツの表示位置を変更して前記表示範囲の一部の表示領域に表示するとともに、前記外部表示出力手段を介して、前記外部表示機器に前記コンテンツを表示する構成を採る。
【００６７】
この構成によれば、外部表示機器へコンテンツ表示中は、液晶表示部において、コンテンツが表示される表示領域のみを部分的に照射することができ、表示領域以外の部分の照射部を駆動する必要がなく、その分、消費電流を削減することができる。
【００６８】
本発明の第５の態様に係る携帯端末は、上記構成の液晶表示装置を備えた構成を採る。
【００６９】
この構成によれば、コンテンツの表示サイズが液晶表示部の表示範囲より小さい場合、表示範囲におけるコンテンツの表示位置を変更し、その変更された表示領域を照射する所定の照射部を駆動するため、コンテンツが表示される表示領域のみを部分的に照射することができる。つまり、表示領域以外の部分の照射部を駆動する必要がなく、その分、消費電流を削減することができる携帯端末を実現できる。
【００７０】
本発明の第６の態様に係るコンテンツ表示方法は、外部から入力されるコンテンツを表示する液晶表示部と、前記液晶表示部を照射する複数の照射部とを備えた携帯端末のコンテンツ表示方法において、前記液晶表示部に表示されるコンテンツの表示サイズを自動判定する表示サイズ判定ステップと、前記表示サイズ判定ステップによって判定される前記表示サイズが前記液晶表示部の表示範囲より小さい場合、前記表示範囲における前記コンテンツの表示位置を変更して前記表示範囲の一部の表示領域に前記コンテンツを表示する表示ステップと、前記表示範囲の一部の表示領域を照射する所定の照射部を駆動する駆動ステップとを有する構成を採る。
【００７１】
この方法によれば、コンテンツの表示サイズが液晶表示部の表示範囲より小さい場合、表示範囲におけるコンテンツの表示位置を変更して、その変更された表示領域を照射する所定の照射部を駆動して、液晶表示部において、コンテンツが表示される表示領域のみを部分的に照射することができる。つまり、表示領域以外の部分の照射部を駆動する必要がなく、その分、消費電流を削減することができる。
【産業上の利用可能性】
【００７２】
本発明に係る液晶表示装置は、液晶表示部において、コンテンツが表示される表示領域のみを部分的に照射することができ、表示領域以外の部分の照射部を駆動する必要がなく、その分、消費電流を削減する効果を有し、照射部となるバックライト点灯制御により省電力化の向上が図られた携帯電話などの携帯端末に用いられるものとして有用である。
【図面の簡単な説明】
【００７３】
【図１】本発明の一実施の形態に係る液晶表示装置を有する携帯端末の構成を示すブロック図
【図２】本発明の一実施の形態における携帯端末の制御部により表示される画面のレイアウトの一例を示す図
【図３】ユーザにより省電力モード設定されたときに表示される画面のレイアウトの一例を示す図
【図４】本発明の一実施の形態における携帯端末のコンテンツ表示処理を説明するためのフローチャート
【図５】本発明の一実施の形態における携帯端末に外部表示機器を接続した際の処理を示すフローチャート
【符号の説明】
【００７４】
１００  携帯端末
１０１  無線通信部
１０３  操作部
１０５  内部記録部
１０７  外部記録部
１０９  バッテリ
１１１  表示出力選択部
１１３  外部表示出力部
１１５  ＬＣＤドライバ
１２０  ＬＣＤ（液晶表示部）
１３０  バックライト部
１３１  バックライト点灯回路
１３３  第１バックライト
１３５  第２バックライト
１４０  制御部
１４２  表示制御部
１４４  バックライト制御部
１４６  リサイズ制御部
１４８  表示サイズ判定部
１５０  外部表示機器
２００  表示範囲
２１０  第１表示領域
２１１  第２表示領域
【図１】
2006091147.tif 000003
【図２】
2006091147.tif 000004
【図３】
2006091147.tif 000005
【図４】
2006091147.tif 000006
【図５】
2006091147.tif 000007